(57)【要約】  本発明は、誘導充電装置、特に手持式工具用の誘導充電装置を提示する。ここでこの誘導充電装置は、ケーシング（３４）と、誘導蓄電池（１４）を受け入れる受入れ領域（２２）と、コイルユニット（１２）と、少なくとも１つのコイルケーシング部材（２８，３０）とを有している。コイルユニット（１２）は、少なくとも１つのコア部材（１６）と、少なくとも１つの誘導コイル（１８）とを含んでおり、少なくとも１つの誘導コイル（１８）は、少なくとも１つのコア部材（１６）を少なくとも部分的に包囲している。少なくとも１つのコイルケーシング部材は、ケーシング（３４）内において、少なくともコイルユニット（１２）を受入れ領域（２２）に対して相対的に配置する。
2017503461.tif 000002
【特許請求の範囲】
【請求項１】
誘導充電装置、特に手持式工具用の誘導充電装置であって、
ケーシング（３４）と、
誘導蓄電池（１４）を受け入れる受入れ領域（２２）と、
少なくとも１つのコア部材（１６）と、少なくとも１つの誘導コイル（１８）とを含み、当該少なくとも１つの誘導コイル（１８）は、前記少なくとも１つのコア部材（１６）を少なくとも部分的に包囲している、コイルユニット（１２）と、
前記ケーシング（３４）内において、少なくとも前記コイルユニット（１２）を前記受入れ領域（２２）に対して相対的に配置する、少なくとも１つのコイルケーシング部材（３０）と、
を備えることを特徴とする誘導充電装置。
【請求項２】
前記コイルケーシング部材（３０）は、前記少なくとも１つの誘導コイル（１８）を受け入れる少なくとも１つの凹部（３１）を有している、請求項１記載の誘導充電装置。
【請求項３】
前記コイルケーシング部材（３０）は、前記少なくとも１つのコア部材（１６）を受け入れる少なくとも１つの収容領域（３３）を有している、請求項１または２記載の誘導充電装置。
【請求項４】
前記コイルケーシング部材（３０）は、前記ケーシング（３４）に取り外し可能に固定する少なくとも１つの保持部材（５８）を有している、請求項１から３までのいずれか１項記載の誘導充電装置。
【請求項５】
前記第１のコイルケーシング部材（３０）とともにコイルケーシングユニット（２４）を形成する第２のコイルケーシング部材（２８）を有している、請求項１から４までのいずれか１項記載の誘導充電装置。
【請求項６】
前記コイルケーシングユニット（２４）は、少なくとも１つの接続部材（３２，５０）を含んでおり、当該接続部材は、取り付けられた状態において、前記２つのコイルケーシング部材（２８，３０）を取り外し可能に相互に接続する、請求項５記載の誘導充電装置。
【請求項７】
前記接続部材は、係止部材（３２，５０）として形成されている、請求項６記載の誘導充電装置。
【請求項８】
少なくとも１つのバネ部材（２０）を有しており、当該バネ部材は少なくとも部分的に、前記少なくとも１つのコア部材（１６）を、少なくとも部分的に、前記少なくとも１つの誘導コイル（１８）の方向へ付勢するように設けられている、請求項１から７までのいずれか１項記載の誘導充電装置。
【請求項９】
前記少なくとも１つのバネ部材（２０）は、前記受入れ領域（２２）の方向において、前記少なくとも１つのコア部材（１６）に作用する力を生じさせる、請求項８記載の誘導充電装置。
【請求項１０】
前記少なくとも１つのバネ部材（２０）と、前記少なくとも２つのコイルケーシング部材（２８，３０）のうちの少なくとも１つのコイルケーシング部材とが協働することによって、前記少なくとも１つのコア部材（１６）は、前記少なくとも１つの誘導コイル（１８）の方向へ予め付勢されている、請求項８または９記載の誘導充電装置。
【請求項１１】
前記少なくとも２つのコイルケーシング部材（２８，３０）のうちの少なくとも１つのコイルケーシング部材は、前記少なくとも１つのバネ部材（２０）を有している、請求項８から１０までのいずれか１項記載の誘導充電装置。
【請求項１２】
前記少なくとも１つのバネ部材（２０）は、前記複数のコイルケーシング部材（２８，３０）のうちの少なくとも１つのコイルケーシング部材と固く接続されている、請求項８から１１までのいずれか１項記載の誘導充電装置。
【請求項１３】
前記少なくとも１つのバネ部材（２０）は、前記複数のコイルケーシング部材（２８，３０）のうちの少なくとも１つのコイルケーシング部材と一体に形成されている、請求項８から１２までのいずれか１項記載の誘導充電装置。
【請求項１４】
前記コイルユニット（１２）は、複数の、特に同じ形状のコア部材（１６）を有しており、
複数の、特に同じ形状のバネ部材（２０）が、前記複数のコア部材（１６）の各々を、少なくとも部分的に、前記少なくとも１つの誘導コイル（１８）の方向へ付勢するように設けられている、請求項１から１３までのいずれか１項記載の誘導充電装置。
【請求項１５】
前記少なくとも１つの誘導コイル（１８）は、相互に間隔を空けて配置されている少なくとも２つのコイル接続部（２６）を含んでいる、請求項１から１４までのいずれか１項記載の誘導充電装置。
【請求項１６】
電磁的なノイズを低減させるように形成されている遮蔽部材（９０）が設けられている、請求項１から１５までのいずれか１項記載の誘導充電装置。
【請求項１７】
前記遮蔽部材（９０）は、前記受入れ領域（２２）と、前記誘導コイル（１８）との間に配置されている、請求項１６記載の誘導充電装置。
【請求項１８】
前記遮蔽部材（９０）は、前記受入れ領域（２２）と、前記コイルケーシング部材（３０）との間に配置されている、請求項１６記載の誘導充電装置。
【請求項１９】
電磁的なノイズを低減させるように形成されている、さらなる遮蔽部材（１１０）が設けられている、請求項１から１８までのいずれか１項記載の誘導充電装置。
【請求項２０】
前記遮蔽部材（１１０）は、前記ケーシング部材（７２）と前記誘導コイル（１８）との間に配置されている、請求項１９記載の誘導充電装置。
【請求項２１】
前記遮蔽部材（１１０）は、前記ケーシング部材（７２）と前記コイルケーシング部材（２８）との間に配置されている、請求項１９記載の誘導充電装置。
【請求項２２】
請求項１から２１までのいずれか１項記載の誘導充電装置（１０）と、少なくとも１つの誘導蓄電池（１４）、特に手持式工具用誘導蓄電池とを備えている、
ことを特徴とするシステム。
【発明の詳細な説明】
【技術分野】
【０００１】
背景技術
ケーシングとコイルユニットとを備えた誘導充電装置は、既に提案されている。ここでこのコイルユニットは、少なくとも１つのコア部材と少なくとも１つの誘導コイルとを含んでいる。
【０００２】
発明の開示
本発明は、誘導充電装置、特に手持式工具誘導充電装置に関する。ここでこの誘導充電装置は、ケーシングと、誘導蓄電池を受け入れるための受入れ領域と、コイルユニットとを含んでいる。このコイルユニットは、誘導蓄電池と結合されている状態でエネルギーを伝達するように設けられており、かつ、少なくとも１つのコアユニットと、少なくとも１つのコアユニットを少なくとも部分的に包囲している少なくとも１つの誘導コイルとを含んでいる。誘導充電装置はさらに、少なくとも１つのコイルケーシング部材を含んでいる。このコイルケーシング部材は、ケーシング内において、少なくともコイルユニットを、受入れ領域に対して相対的に配置する。
【０００３】
「誘導充電装置」とは、本願では、特に、少なくとも１つの誘導蓄電池を充電するユニットのことである。ここでこれは、少なくとも充電状態において、充電電流を少なくとも部分的に、電磁誘導によって、誘導蓄電池に転送するように設けられている。「コイルユニット」とは、本願では、特に、導電性材料から成る少なくとも１つの巻線を備えた少なくとも１つの誘導コイルを有しているユニットのことである。ここでこの巻線は、少なくとも充電状態において、印加されている電気エネルギーによって、特に交流電圧によって、磁界を生成するように設けられている。ここでこの磁界は、誘導蓄電池の誘導コイルにおいて、電気的な交流電流を生成する。
【０００４】
特に、コイルユニット、有利には誘導コイルは、交番電磁界を電気的な交流電流に変換する、かつ／または、電気的な交流電流を交番電磁界に変換するように設けられている。有利には、この交番電磁界は、１０から５００ｋＨｚの周波数を有しており、特に有利には１００から１２０ｋＨｚの周波数を有している。特に、コイル面に対して垂直な方向は、誘導コイルの巻線軸に対して平行に形成されている。有利には、コイルユニットはさらに、少なくとも１つの誘導コイルのインダクタンスを高める、少なくとも１つのコア部材を含んでいる。
【０００５】
誘導コイルは、実質的に環状の底面形状を有し得る。択一的に、この底面形状が環状でなくてもよい。底面形状が楕円形、長方形、または、正方形であってもよい。底面形状が長方形または正方形である場合には、角が丸められていてもよい。
【０００６】
用語「設けられている」は、特に、特別に形成されている、設計されている、装備されていることである。対象物が特定の機能のために設けられているとは、特に、この対象物がこの特定の機能を少なくとも１つの使用状態および／または動作状態において満たす、かつ／または、実行することである。
【０００７】
「誘導蓄電池」は本発明では、特に、有利には再充電可能なエネルギー蓄積ユニットを含んでいるデバイスのことである。ここでこれは少なくとも部分的に、電流生成のために電気化学的に可逆反応によってエネルギーを蓄積し、充電電流を流入させることによって充電するように設けられており、さらに、電動機械、特に手持式工作機械に電流を供給するように設けられている。有利には誘導蓄電池は、誘導蓄電池を手持式工作機械と、取り外し可能に機械的かつ電気的に結合するように形成されているインタフェースユニットを有している。誘導蓄電池は、１つまたは複数の蓄電池セルを含んでいる。誘導蓄電池は、少なくとも１つのＮｉＣｄ蓄電池セルまたはＮｉＭｈ蓄電池セルを有している。有利には、誘導蓄電池は、少なくとも１つのリチウムベースの蓄電池セルを有している。他の蓄電池セル技術も使用可能であろう。「手持式工作機械」とは本願では、特に、ユーザーによって手で案内される電気機器である。これは例えばドリル、ハンマードリル、ノコ、カンナ、ドライバー、ルーター、サンダー、グラインダー、および／または、多機能工具またはガーデンツール、例えば、剪定機、低木用はさみ、芝刈りばさみ、または、当業者が合理的であると考える、他の形態の機器である。
【０００８】
用語「少なくとも部分的に包囲している」とは、本願では、特に、誘導コイルが少なくとも１つのコア部材を、少なくとも１つの面で、１８０°を超える、有利には２７０°を超える角度範囲にわたって、特に有利には３６０°の角度範囲にわたって包囲していることである。
【０００９】
誘導充電装置の本発明のこのような設計によって、構造的に容易に、有利には高い効率および有利には高い効果を得ることができる。
【００１０】
コイルケーシング部材が、少なくとも１つの誘導コイルを受け入れる少なくとも１つの凹部を有することを提案する。この凹部は、特にノッチ状に形成されている。誘導コイルは、特に、巻くことによってこの凹部内に入れられる。従って、コイルケーシング部材は、誘導コイルのためのコイル支持体として用いられる。
【００１１】
さらに、コイルケーシング部材が、少なくとも１つのコア部材を受け入れる少なくとも１つの収容領域を有することが提案される。有利な実施形態では、コイルユニットは、複数の、特に同じ形状のコア部材を有している。コイルケーシング部材は、特に、コア部材の数に相当する数の収容領域を有している。各コア部材に対して、コイルケーシング部材は、１つの収容領域を有しており、従って、各コア部材は、コイルケーシング部材内で別個の収容領域内に収容されている。これらのコア部材は共に、コアユニットを形成する。
【００１２】
コイルケーシング部材は特に、少なくとも１つの保持部材を、誘導充電装置のケーシングとの取り外し可能な固定のために有している。この保持部材は、例えば、固定タブとして構成されている。この固定タブによって、コイルケーシング部材は、例えば、誘導充電装置のケーシングとネジ留めされる。コイルケーシング部材が形状結合的に、かつ／または、摩擦結合的に、誘導充電装置のケーシングと結合可能である、取り外し可能な固定の択一的な実施形態も可能である。
【００１３】
さらに、誘導充電装置が第２のコイルケーシング部材を有することが提案される。この第２のコイルケーシング部材は、第１のコイルケーシング部材とともに、コイルケーシングユニットを形成する。コイルケーシングユニットは、少なくともコイルユニットを受け入れる。コイルケーシングユニットとコイルユニットは、このようにして１つの構造群を形成する。この構造群は、ケーシング内に組み込まれる前に、まずは誘導充電装置のケーシングに依存せずに組み立て可能である。この第２のコイルケーシング部材は、第１のコイルケーシング部材の少なくとも１つの保持部材に対して択一的または付加的に、少なくとも１つの保持部材を、誘導充電装置のケーシングとの、取り外し可能な固定のために有し得る。
【００１４】
有利な実施形態では、コイルケーシングユニットは、少なくとも１つの接続部材を含んでいる。この接続部材は、２つのコイルケーシング部材を、取り付けられた状態において、取り外し可能に相互に接続する。接続部材は特に、係止部材として形成可能である。「係止部材」とは、本願では、特に、係止接続を形成するバネ弾性の手段のことである。この手段は、取り付け時に、弾性に変形するように設けられている。これによって、有利には、コイルケーシングユニットの少なくとも２つのコイルケーシング部材の容易かつ確実な結合が実現される。
【００１５】
特に、コイルケーシングユニットはケーシング内に、取り外し可能に固定されている。例えば、コイルケーシングユニットは、第１のコイルケーシング部材の保持部材によって、ケーシングと取り外し可能に固定、例えばネジ留めされる。これによって、有利には、コイルケーシングユニットとケーシングとの間に、確実かつ構造的に容易な接続が実現される。
【００１６】
誘導充電装置が少なくとも１つのバネ部材を含むことが提案される。このバネ部材は少なくとも部分的に、少なくとも１つのコア部材を、少なくとも部分的に、少なくとも１つの誘導コイルの方向へ付勢するように設けられている。
【００１７】
用語「バネ部材」とは、本願では、特に、肉眼で見える程度に大きい部材のことであり、これは少なくとも、次のような延在、特に、主要延在を有している。すなわち、通常動作時に、少なくとも１％、特に少なくとも２％、有利には少なくとも５％および特に有利には少なくとも１０％、特に弾性的に変化可能な延在を有している。さらにバネ部材は、特に、延在の変化に依存した、有利には、この変化に比例した反力を形成する。この反力は、この変化を阻止する。用語「肉眼で見える程度に大きい部材」とは、特に、少なくとも１ｍｍ、特に少なくとも５ｍｍ、有利には少なくとも１０ｍｍの延在を有する部材のことである。用語、部材の「主要延在」とは、特に、最も長い中央の筋に沿った、特にバネ部材の最も長い外側縁部に沿った長さのことである。
【００１８】
さらに、少なくとも１つのバネ部材が、力を、誘導蓄電池を受け入れる受入れ領域の方向へ、少なくとも１つのコア部材に作用するように生じさせることを提案する。誘導蓄電池が誘導充電装置と結合された状態では、誘導蓄電池は、受入れ領域内に、少なくとも１つの空間方向において、有利には少なくとも２つの空間方向において、形状結合的に、かつ／または、摩擦結合的に保持されている。これによって、少なくとも１つの誘導コイルと少なくとも１つのコア部材との間の、有利には短い間隔、ひいては、有利には高い効率が実現される。
【００１９】
少なくとも１つのバネ部材と、少なくとも２つのコイルケーシング部材のうちの少なくとも１つが、少なくとも１つのコア部材が少なくとも１つの誘導コイルの方向へ予め付勢されているように、協働することが提案される。特に、少なくとも２つのコイルケーシング部材のうちの少なくとも１つは、この少なくとも１つのバネ部材を有している。さらに、この少なくとも１つのバネ部材は、特に、複数のコイルケーシング部材のうちの少なくとも１つと固く接続されている。この少なくとも１つのバネ部材は、複数のコイルケーシング部材のうちの少なくとも１つと、特に、一体に形成されている。
【００２０】
有利な構成では、コイルユニットは複数の、特に同じ形状のコア部材を有しており、コイルケーシングユニットは、複数の、特に同じ形状のバネ部材を含んでいる。これらのバネ部材は、コア部材のそれぞれ１つを、少なくとも部分的に、少なくとも１つの誘導コイルの方向へ付勢する。
【００２１】
さらに、誘導充電装置が、コイルユニットを少なくとも部分的に包囲し、少なくとも１つのバネ部材を有しているコイルケーシングユニットを有していることを提案する。用語「少なくとも部分的に包囲する」とは、本願では、特に、コイルケーシングユニットが、少なくともコイルユニットを、少なくとも１つの面において、有利には少なくとも２つの、特に相互に垂直な面において、特に有利には３つの、特に相互に垂直な面において、１８０°を超える、有利には２７０°を超える角度範囲にわたって、特に有利には３６０°の角度範囲にわたって、誘導充電ユニットを包囲することである。有利には、コイルケーシングユニットは特に、コイルユニットの表面の少なくとも４０％、有利には少なくとも５０％、好ましくは少なくとも６０％、特に有利には少なくとも７０％を覆う。これによって、誘導充電装置の有利には頑強かつ有利にはモジュール様式の形態が実現される。
【００２２】
さらに、少なくとも１つのバネ部材が、コイルケーシングユニットと固く接続されていることが提案される。用語「固く接続」とは本願では、特に、少なくとも１つのバネ部材とコイルケーシングユニットとが、破損されずに分離可能に、相互に接続されていることである。これによって、有利には、誘導充電装置のコンパクトな形態が可能になる。
【００２３】
さらに、少なくとも１つのバネ部材がコイルケーシングユニットと一体に形成されていることが提案される。用語「一体」とは、本願では、特に、例えば、溶接プロセス、接着プロセス、吹き付けプロセス、および／または他の、当業者が合理的であると考えるプロセスによって、少なくとも材料結合的に接続されること、および／または、有利には１つの部分に形成されることである。これは例えば、鋳造によって、かつ／または、有利には唯一の未加工部品からの単一成分または多成分射出方法での製造によって行われる。これによって、有利には、誘導充電装置のコンパクトかつ構成部品の少ない形態が実現される。
【００２４】
さらに、少なくとも１つの誘導コイルが少なくとも２つのコイル接続部を含んでいることが提案される。これらは相互に間隔を空けて配置されている。用語「コイル接続部」とは本願では、特に、少なくとも１つの誘導コイルを電気的に電流源および／または蓄積ユニット、例えば少なくとも１つのバッテリーと、有利には直接的に接続するように設けられている部材のことである。用語「間隔を空けて」とは、本願では、特に、少なくとも２つのコイル接続部の間の僅かな間隔が、特に少なくとも５ｍｍ、有利には少なくとも１０ｍｍ、好ましくは少なくとも２０ｍｍ、特に有利には少なくとも３０ｍｍである、ということである。これによって、有利には、高い、特に１５００ボルトまでの電気絶縁が得られる。
【００２５】
さらに、少なくとも１つのバネ部材と少なくとも２つのコイルケーシング部材のうちの少なくとも１つとが、少なくとも１つのコア部材を、取り付け状態に固定するように設けられていることが提案される。ここでは、少なくとも１つのバネ部材と、少なくとも２つのコイルケーシング部材のうちの少なくとも１つとが、次のように協働する。すなわち、少なくとも１つのコア部材が、少なくとも１つの誘導コイルの方向に、予め付勢されているように、協働する。これによって、コア部材の有利には高い効率、有利には高い効果および構造的に容易な固定が、充電状態において得られる。
【００２６】
さらに、コイルユニットが、複数の、特に同じ形状のコア部材を有しており、かつ、複数の、特に同じ形状のバネ部材が設けられていることが提案される。これらのバネ部材は、それぞれ、１つのコア部材を、少なくとも部分的に、少なくとも誘導コイルの方向へ付勢するように設けられている。これによって有利には高い効率、および、有利には高い効果が、充電状態において得られる。
【００２７】
さらに、誘導充電装置が、電磁的なノイズを低減するように形成されている遮蔽部材を有していることが提案される。この遮蔽部材は特に、誘導充電装置の誘導コイルとともに、バイパスコンデンサを形成するように形成されている。この際に誘導コイルは、バイパスコンデンサの第１の電極を形成し、遮蔽部材は、バイパスコンデンサの第２の電極を形成する。この遮蔽部材は、導電性層を形成する少なくとも１つの導電性部材を有している。この導電性部材は特に非金属製の材料から成り、特に、非強磁性の材料から成る。導電性部材は有利には面状の構築物として、例えば織物、編んだ生地、網状のもの等として、炭素繊維から形成されている。遮蔽部材は、さらに、少なくとも２つの絶縁部材を含んでいる。これらの絶縁部材は絶縁層を形成する。導電性部材は、この２つの絶縁部材の間に配置されている。遮蔽部材を実質的に取り囲んでいる縁部領域には、導電性部材の導電性材料は含まれていない。この縁部領域では、２つの絶縁部材が直接的に相互に接して配置されている。ここで、導電性部材の導電性材料はその間に位置していない。遮蔽部材はさらに、遮蔽部材と電気的に接触接続するための導電性のコンタクト部材を含んでいる。遮蔽部材は、この導電性のコンタクト部材を介して、特に、アース接続されている。
【００２８】
遮蔽部材は特に、誘導充電装置の受入れ領域と、誘導コイルとの間に配置されている。ここでこの遮蔽部材は次のように、誘導コイルに対して相対的に配置されている。すなわち、誘導充電装置による誘導蓄電池の充電過程の間、遮蔽部材が、誘導充電装置の誘導コイルと、誘導蓄電池の誘導コイルとの間に配置されているように、配置されている。遮蔽部材は完全に、特に、受入れ領域とコイルユニットとの間に配置されている。遮蔽部材はさらに、特に、受入れ領域と誘導充電ユニットとの間に配置されている。遮蔽部材はさらに、特に、受入れ領域とコイルケーシングユニットとの間に配置されている。遮蔽部材はさらに、特に、受入れ領域と、この受入れ領域の方を向いているコイルケーシング部材との間に配置されている。受入れ領域と誘導コイルとの間の遮蔽部材のこの配置の際に、遮蔽部材と誘導コイルとの間の間隔をできるだけ短くするのが有利である。
【００２９】
有利な構成では、遮蔽部材は、少なくとも、誘導コイルによって形成される面の拡張に相当する、面の拡張を有している。従って、遮蔽部材によって形成された面は、少なくとも、誘導コイルによって形成された面と同じ大きさである。遮蔽部材は特に、実質的に全面に形成されている。従って受入れ領域と誘導コイルとの間に遮蔽部材を配置する場合、これによって遮蔽部材は、誘導コイルを実質的に完全に覆う。
【００３０】
遮蔽部材の底面形状は、誘導コイルの底面形状に合わせられる。誘導コイルが実質的に環状の場合には、遮蔽部材は有利には、実質的に丸い底面形状を有している。誘導コイルが環状ではなく、これが例えば楕円形、長方形または正方形に形成されている場合には、遮蔽部材も有利には丸くなく、例えば楕円形、長方形または正方形に形成されている。
【００３１】
さらなる形態では、遮蔽部材は底面部材と少なくとも１つの壁部部材とを有している。ここでこの壁部部材は、底面部材に配置されている。ここでこの底面部材は底面を形成し、この底面の拡張は、少なくとも、誘導コイルによって形成された面の拡張に相当する。従って、底面部材によって形成された底面は、少なくとも、誘導コイルによって形成された面と同じ大きさである。少なくとも、誘導充電装置内に遮蔽部材が組み込まれた状態において、壁部部材は底面部材に対して傾斜しており、特に実質的に９０°の角度で傾斜して配置されている。組み込まれた状態では、壁部部材は実質的に、垂直に、底面部材から突き出ている。この少なくとも１つの壁部部材は、誘導コイルの外周を実質的に完全に包囲する遮蔽部材の周壁を形成する。遮蔽部材の周壁が、複数の壁部部材から形成されていてもよい。
【００３２】
さらに、誘導充電装置が、さらなる遮蔽部材を有していることが提案される。このさらなる遮蔽部材は、電磁的なノイズを低減するように形成されている。この遮蔽部材は特に、誘導コイルを、誘導蓄電池の充電過程の間、誘導充電装置の台、例えば、卓上に存在する金属製の対象物から遮蔽するように形成されている。金属材料から成る台または台上の金属粒子は、誘導コイルの機能に不所望に影響を与える。誘導充電装置の台上の金属対象物からの誘導コイルの遮蔽を実現するために、遮蔽部材は特に、誘導充電装置のケーシングのケーシング部材と、誘導コイルとの間に配置されている。ここで遮蔽部材は、誘導コイルの、受入れ領域に背を向けている面の方を向いている。従って遮蔽部材は、誘導充電装置のケーシングの台の方を向いている、誘導コイルの面に配置されている。この遮蔽部材は、誘導コイルと受入れ領域との間に配置されている上述した遮蔽部材に対して択一的または付加的に設けられていてよい。
【００３３】
遮蔽部材は特に、誘導充電装置の台を形成するケーシング部材と、誘導充電ユニットとの間に配置されている。ここでこの遮蔽部材は、誘導充電ユニット外に配置されている。この遮蔽部材は、コイルケーシングユニットと台を形成するケーシング部材との間に配置されている。択一的な実施形態では、遮蔽部材は、誘導充電ユニットの部材も形成し得る。これは、遮蔽部材が誘導充電ユニット内に配置されていることによって行われる。ここで、遮蔽部材はコイルケーシングユニット内に配置可能である。
【００３４】
遮蔽部材は、導電性材料から形成されている。ここで有利には遮蔽部材は、金属材料、例えばアルミニウムから形成されている。
【００３５】
ある構成では、遮蔽部材は実質的にリング状に形成されている。択一的な構成では、遮蔽部材は、ディスク状に形成されていてもよい。ここでこの遮蔽部材は特に実質的に全面に形成可能である。遮蔽部材の底面形状は、有利には、誘導コイルの底面形状に合わせられている。実質的に環状の誘導コイルを遮蔽するために、遮蔽部材は同様に環状に形成されている。非環状、例えば楕円形、長方形または正方形の誘導コイルを遮蔽するために、遮蔽部材の幾何学的な底面形状は、誘導コイルの底面形状に合わせられ、同様に、例えば楕円形、長方形または正方形に形成されている。
【００３６】
さらに、有利には、遮蔽部材の横断面は、誘導コイルの横断面に合わせられている。有利には遮蔽部材は、少なくとも、誘導コイルによって形成された面の拡張に相当する、面の拡張を有している。従って、遮蔽部材によって形成された面は、少なくとも、誘導コイルによって形成された面と同じ大きさである。例えば、実質的に円形の遮蔽部材は有利には、少なくとも、誘導コイルの外径と同じ大きさの外径を有している。同様に、底面形状が円形形状でない場合には、誘導充電ユニットの軸方向に沿った遮蔽部材の投影の際に形成される、遮蔽部材の投影面は、少なくとも、軸方向に沿った誘導コイルのこのような投影時に形成される、誘導コイルの投影面と同じ大きさである。
【００３７】
さらに、本発明の誘導充電装置と、少なくとも１つの誘導蓄電池、特に少なくとも１つの手持式工具誘導蓄電池とを有するシステムが提案される。
【００３８】
本発明の誘導充電装置はここで、上述した用途および実施形態に制限されるべきではない。特に、本発明の誘導充電装置は、本願に記載された作用を実現するために、本願で挙げた数とは異なる数の個々の部材、構成部分およびユニットを有し得る。
【００３９】
図面
さらなる利点は、以下の図面の説明から明らかである。図面には、本発明の実施例が示されている。図面、説明および特許請求の範囲は、多数の特徴の組み合わせを含んでいる。当業者はこれらの特徴を、目的に合わせて、個々に捉えたり、合理的なさらなる組み合わせにまとめたりするだろう。
【図面の簡単な説明】
【００４０】
【図１】本発明の誘導充電装置と誘導蓄電池とを有するシステムの斜視図
【図２ａ】本発明の誘導充電装置の、コイルケーシングユニットによって包囲されているコイルユニットの斜視平面図
【図２ｂ】本発明の誘導充電装置の、コイルケーシングユニットによって包囲されているコイルユニットの斜視下面図
【図３】本発明の誘導充電装置のコイルケーシングユニットのコイルケーシング部材の斜視図
【図４】部品組み立て前の、本発明の誘導充電装置のコイルケーシングユニットおよびコイルユニット並びにコアユニットの斜視平面図
【図５】部品組み立て前の、本発明の誘導充電装置のコイルケーシングユニットおよびコアユニットの斜視下面図
【図６】部品組み立て後の、本発明の誘導充電装置のコイルケーシングユニットおよびコイルユニット並びにコアユニットの横断面図
【図７】部品組み立て前の、本発明の誘導充電装置の斜視図
【図８】部品組み立て前の、本発明の誘導充電装置の長手方向断面図
【図９】本発明の誘導充電装置のケーシング部材の斜視図
【図１０】第１の遮蔽部材の、ある実施形態を伴う、図９記載のケーシング部材
【図１１ａ】図１０に示された第１の遮蔽部材の平面図
【図１１ｂ】図１０に示された第１の遮蔽部材の展開図
【図１２】誘導充電ユニットと、第２の遮蔽部材の、ある実施形態とを伴う、図９に示されたケーシング部材
【図１３】部品組み立て前の、本発明の誘導充電装置の斜視図
【発明を実施するための形態】
【００４１】
図１には、誘導充電装置１０と、誘導蓄電池１４とを有するシステムが示されている。誘導充電装置１０は、充電状態において、誘導蓄電池１４に電気的に充電するように設けられている。誘導蓄電池１４は、手持式工具用誘導蓄電池として形成されている。誘導蓄電池１４は誘導充電装置１０によって、誘導式に充電可能であるように構成されている。誘導蓄電池１４は、誘導充電装置１０と結合可能に構成されている。誘導充電装置１０は、誘導蓄電池１４と結合された状態において、エネルギーを誘導蓄電池１４に伝達するように設けられている。このために、誘導蓄電池１４は、詳細に図示されていない誘導コイルを有している。誘導充電装置１０は、手持式工具誘導充電装置として形成されている。誘導充電装置１０は、誘導充電機器として形成されている。誘導充電装置１０は、ケーシング３４を有している。このケーシング３４は、誘導充電ユニット１１を包囲している。誘導充電ユニット１１は、コイルユニット１２とコイルケーシングユニット２４とを含んでいる。ケーシング３４は、誘導充電装置１０の外側ケーシングとして用いられる。コイルユニット１２は、誘導式のエネルギー伝達のために、充電状態では、誘導蓄電池１４上に設けられる。誘導充電装置１０はさらに、エレクトロニクスユニット７８を含んでいる。このエレクトロニクスユニット７８は、充電過程を開ループ制御する、または、閉ループ制御するように設けられている（図７）。
【００４２】
誘導充電装置１０のケーシング３４は、結合された状態で、誘導蓄電池１４を受け入れる受入れ領域２２を有している。誘導蓄電池１４も、ケーシング３６を含んでいる。このケーシングは、誘導蓄電池１４を、誘導充電装置１０のケーシング３４の受入れ領域２２と、結合状態において結合するための位置決め部材３８を有している。誘導蓄電池１４の位置決め部材３８は、誘導蓄電池１４の接しているケーシング３６の外面から隆起している台座として形成されている。誘導充電装置１０のケーシング３４の受入れ領域２２は少なくとも１つの凹部を有している。この凹部は、誘導蓄電池１４を位置決めするための位置決め部材４０を形成する。しかし、誘導充電装置１０の位置決め部材４０が台座として形成されており、誘導蓄電池１４の位置決め部材３８が凹部として形成されていてもよい。この凹部は、少なくとも０．５ｍｍの縁部高さを有する。誘導蓄電池１４の位置決め部材３８は、少なくとも０．５ｍｍの縁部高さを有する。誘導充電装置１０の位置決め部材４０と誘導蓄電池１４の位置決め部材３８とは、適合するように形成されている。
【００４３】
誘導充電装置１０の位置決め部材４０と、誘導蓄電池１４の位置決め部材３８とはそれぞれ３ｍｍの縁部高さを有している。しかし、他の、当業者が合理的であると考える寸法も可能である。誘導充電装置１０の位置決め部材４０は、部分的に湾曲した外郭を有している。誘導充電装置１０の位置決め部材４０の外郭は、丸く形成されている。誘導蓄電池１４の位置決め部材３８は、部分的に湾曲した外郭を有している。誘導蓄電池１４の位置決め部材３８の外郭は、角が丸められた正方形に形成されている。誘導充電装置１０の位置決め部材４０の直径は、少なくともほぼ、誘導蓄電池１４の位置決め部材３８の対角線長さに相当する。誘導充電装置１０の位置決め部材４０の寸法と、誘導蓄電池１４の位置決め部材３８の寸法との間には、僅かな公差が設定されている。択一的に、誘導充電装置１０の位置決め部材４０の外郭が、角が丸められた正方形として形成されており、誘導蓄電池１４の位置決め部材３８の外郭が丸く形成されていてもよい。さらに、誘導充電装置１０の位置決め部材４０の外郭または、誘導蓄電池１４の位置決め部材３８の外郭が、他の、当業者が合理的であると考える幾何学的な形状を有していてもよい。これは例えば、特に、角が丸められた長方形の形状である。充電状態では、誘導蓄電池１４は、誘導充電装置１０上に位置する。従って、誘導蓄電池１４の位置決め部材３８は、誘導充電装置１０の位置決め部材４０にはまり込む。この際、誘導蓄電池１４のケーシング３６は、誘導充電装置１０のケーシング３４と直接的に接触接続する。
【００４４】
誘導充電装置１０は、コイルユニット１２を有している。このコイルユニットは、誘導蓄電池１４と結合された状態において、エネルギーを伝達するように設けられている。結合された状態において、コイルユニット１２によって、電気エネルギーが、誘導充電装置１０から誘導蓄電池１４へと伝送される。コイルユニット１２は、少なくとも１つのコアユニット１７と、少なくとも１つの誘導コイル１８とを有している。ここでこの誘導コイル１８は、少なくとも１つのコアユニット１７を少なくとも部分的に包囲している（図４、６）。コアユニット１７は、図４および図５に示された実施例において、実質的に同じ形状の６つのコア部材１６を有している。コア部材１６の、当業者が合理的であると考える、他の数も可能である。６つよりも多くの、例えば８つのコア部材、または、６つよりも少ない、例えば４つのコア部材が使用可能である。これらのコア部材１６は、共に、１つのコアユニット１７を形成する。コアユニット１７は、実質的に円形の横断面を有する。円形とは異なる形状の横断面も可能である。例えば、コアユニットは、実質的に長方形の横断面を有し得る。この場合には、角は特に、丸められるだろう。コア部材１６は、それぞれ部分円環状に形成されている。取り付けられた状態において、これらのコア部材１６は、次のように相互に隣接して配置されている。すなわち、６つのコア部材１６が一緒に、実質的に円形の輪郭を形成するように、配置されている。これらのコア部材１６は実質的に、実質的に円形のコアユニット１７の、同じ形状の扇形を形成する。コア部材１６は、それぞれ１つの張り出し部４４を、半径方向４８において、外側へ向いている、コア部材１６の領域において有している。張り出し部４４は、コア部材１６の、誘導コイル１８の方を向いている側に設けられている。張り出し部４４の領域において、軸方向４６における各コア部材１６の延在は、基体４３の領域におけるよりも、僅かである（図４、６）。基体４３と張り出し部４４との間の領域に、段丘崖状部分４５が形成されている。張り出し部４４の外側の円形輪郭は、段丘崖状部分４５の領域において半径方向に外側を向いている、基体４３の輪郭よりも大きい直径を有している。コア部材１６の、誘導コイル１８に背を向けている側の面は、実質的に平らな面によって形成されている（図５）。コアユニット１７は、少なくとも１つの誘導コイル１８のインダクタンスを上げるために設けられている。コア部材１６は、金属から形成されている。コア部材１６は、磁気コアとして形成されている。
【００４５】
誘導コイル１８は、取り付けられた状態において、コア部材１６を、円周方向４２において、少なくとも１つの面で包囲している（図６）。誘導コイル１８は、図６の実施形態では、複数の、相互に重ねて配置された巻線１９を有している。誘導コイル１８は、相互に間隔を空けて配置されている２つのコイル接続部２６を有している。誘導コイル１８は、丸い輪郭を有している。特に、図４から見て取れるように、誘導コイル１８は、実質的に環状の底面形状を有している。誘導コイルが択一的に、環状ではない、例えば楕円形、長方形または正方形の底面形状を有していてもよい（図示されていない）。
【００４６】
誘導充電装置１０は、さらに、第１のコイルケーシング部材２８を有している。誘導充電装置１０はさらに、第２のコイルケーシング部材３０を有している。コイルケーシング部材２８、３０は一緒に、コイルケーシングユニット２４を形成する。コイルケーシングユニット２４は、コイルユニット１２を包囲する。コイルケーシングユニット２４とコイルユニット１２とは、誘導充電ユニット１１を形成する。コイルケーシングユニット２４は、大部分が円筒状の外郭を有している（図２ａ、２ｂ）。コイルケーシングユニット２４は、２つのコイルケーシング部材２８、３０を有しており、これらは、取り付けられた状態において、少なくとも１つの接続部材を介して相互に結合されている。コイルケーシング部材２８、３０はそれぞれ、少なくとも１つの接続部材を有している。この接続部材は、それぞれ、他方のコイルケーシング部材２８、３０の接続部材と適合するように形成されている。図３、４および５の、コイルケーシングユニット２４の図示の実施形態では、これらの、適合する接続部材は、係止部材として構成されている。コイルケーシング部材２８、３０は、適合する係止部材３２、５０を介して、相互に、取り外し可能に結合されている。第１のコイルケーシング部材２８は、２つの係止部材３２を有している（図３）。これらの係止部材３２は、第１のコイルケーシング部材２８と固く接続されている。これらの係止部材３２は、第１のコイルケーシング部材２８と一体に形成されている。係止部材３２は、スナップフィットによって形成されている。係止部材３２は、第１のコイルケーシング部材２８の中央に配置されている。係止部材３２は、バネ弾性的に、第１のコイルケーシング部材２８の半径方向４８において、変形可能に形成されている。第２のコイルケーシング部材３０は、係止用空所５０を有している。これは、第１のコイルケーシング部材２８の係止部材３２と適合するように形成されている。係止用空所５０は、別のコイルケーシング部材３０の中央に配置されている。取り付けられた状態において、第１のコイルケーシング部材２８の係止部材３２は、別のコイルケーシング部材３０の係止用空所５０を通って、これと係止される（図２ａ、２ｂ、６）。２つのコイルケーシング部材２８、３０を取り外し可能に結合する、相互に適合する接続部材３２、５０に対する択一的な実施形態が可能である。
【００４７】
コイルケーシング部材３０は、誘導コイル１８を受け入れるように設けられている。コイルケーシング部材３０は、コイル支持体として形成されている。このために、コイルケーシング部材３０は、ノッチ状の凹部３１を、円周方向４２において有している。誘導コイル１８の巻線１９は、このノッチ状の凹部３１に収容されている。巻線１９は、ノッチ状の凹部３１内に入れられている。巻線１９は、ノッチ状の凹部３１内で巻かれている。
【００４８】
さらに、コイルケーシング部材３０は、コアユニット１７を受け入れるように設けられている。コイルケーシング部材３０は、コアユニット１７のための少なくとも１つの収容領域を有している。図５に示された実施形態では、コイルケーシング部材３０は、コア部材１６の数に相当する数の収容領域３３を有している。従って、各コア部材１６に対して、コア部材１６を受け入れる１つの収容領域３３が設けられている。収容領域３３は、コア部材１６を、実質的に完全に受け入れる。収容領域３３は、コア部材１６の形状に実質的に適合する形状を有している。図５から見て取れるように、収容領域３３は、特に、基体４３と張り出し部４４と段丘崖状部分４５とから形成されている、誘導コイル１８の方を向いている、コア部材１６の面の輪郭を模している。それぞれ１つの収容領域３３は、２つの側壁３５によって区切られている。隣接する２つの収容領域３３は、側壁３５によって、相互に分けられている。側壁３５によって、相互に隣接する２つのコア部材１６が、間を空けて配置される。
【００４９】
コア部材１６と、コイルユニット１２の誘導コイル１８とは、取り付けられた状態において、少なくともほぼ完全に、コイルケーシング部材３０内に囲まれている。
【００５０】
誘導充電装置１０は、さらに、少なくとも１つのバネ部材２０を有している。このバネ部材は少なくとも部分的に、少なくとも１つのコア部材１６を少なくとも部分的に、少なくとも１つの誘導コイル１８の方向へ付勢するように設けられている。誘導充電装置１０は、６つの、同じ形状の、バネ部材２０を有している。これらのバネ部材は、それぞれ、複数のコア部材１６のうちの１つを、誘導コイル１８の方向へ付勢するように設けられている。バネ部材２０は、それぞれ、コア部材１６を軸方向４６において、誘導コイル１８の方向へ押し付ける。バネ部材２０は、それぞれ、軸方向４６で、コア部材１６に作用する力を、誘導蓄電池１４を受け入れる、誘導充電装置１０の受入れ領域２２の方向において生じさせる。誘導充電装置１０の誘導充電ユニット１１は、少なくとも１つのバネ部材２０を有している。ここで、コイルケーシングユニット２４は、少なくとも１つのバネ部材２０を有している。このバネ部材２０は、コイルケーシングユニット２４と固く接続されている。第１のコイルケーシング部材２８は、少なくとも１つのバネ部材２０を有している。このバネ部材２０は、コイルケーシングユニット２４の第１のコイルケーシング部材２８と固く接続されている。バネ部材２０は、コイルケーシングユニット２４と一体に形成されている。バネ部材２０は、コイルケーシングユニット２４の第１のコイルケーシング部材２８と一体に形成されている。バネ部材２０は、コア部材１６を、軸方向４６において、誘導コイル１８を受け入れるノッチ状の凹部３１を有している第２のコイルケーシング部材３０の方へ押し付ける。従って、第１のコイルケーシング部材２８のバネ部材２０は、コア部材１６を、軸方向において、第２のコイルケーシング部材３０における誘導コイル１８の方へ押し付ける。
【００５１】
択一的な、図示されていない実施形態では、第２のコイルケーシング部材３０は、少なくとも１つのバネ部材を有する。この択一的なバネ部材も同様に、少なくとも１つのコア部材１６を、少なくとも部分的に、少なくとも１つの誘導コイル１８の方向へ付勢するように設けられる。この択一的なバネ部材は、第２のコイルケーシング部材３０と固く接続される。この択一的なバネ部材は、特に、第２のコイルケーシング部材３０と一体に形成される。
【００５２】
バネ部材２０はそれぞれ、バネ基体５２と、突起５４とを有している。バネ部材２０のバネ基体５２は、プレート状に形成されており、主要延在方向における長さに比べて、薄い、材料厚さを有している。バネ部材２０のバネ基体５２は、長方形の輪郭を、主要延在面に沿って有している。バネ部材２０のバネ基体５２は、ヘッド側で、第１のコイルケーシング部材２８と直接的に接続されている。バネ部材２０のバネ基体５２は、ヘッド側で、第１のコイルケーシング部材２８と一体に形成されている。バネ部材２０のバネ基体５２の長辺は、それぞれスリットによって、第１のコイルケーシング部材２８に対して間隔が空けられている。バネ部材２０のバネ基体５２の長辺にわたって、バネ部材２０は、直接的に、第１のコイルケーシング部材２８と接続されていない。これによって、バネ部材２０のバネ基体５２は、バネ弾性に形成されている。バネ部材２０の突起５４は、バネ基体５２の中央に、バネ基体５２の主要延在面に配置されている。突起５４は、バネ部材２０のバネ基体５２と一体に形成されている。突起５４は、円筒状に形成されている。ここで、この円筒状に形成された突起５４の回転軸は、バネ基体５２の主要延在面に対して平行に延在している。取り付けられた状態において、突起５４は、各バネ部材２０を各コア部材１６と接触させる。バネ部材２０の突起５４は、バネ部材２０のバネ基体５２のバネ力を、直接的に各コア部材１６に伝達し、これによってコア部材１６を、受入れ領域２２の方へ、および、さらなるコイルケーシング部材３０の方へ押し付ける。第１のコイルケーシング部材２８と一体に形成されているバネ部材２０と、さらなるコイルケーシング部材３０とは、取り付けられた状態において、コア部材１６を固定するように設けられている。択一的または付加的に、少なくとも１つのバネ部材２０を少なくとも部分的にエラストマーから形成する、または、他の、当業者が合理的であると考える様式で形成することも可能である。
【００５３】
取り付け時には、第１のステップにおいて、誘導コイル１８とコイルユニット２４のコア部材１６とが、コイルケーシングユニット２４のコイルケーシング部材３０内に入れられる。次に、バネ部材２０を有している、コイルケーシングユニット２４の第１のコイルケーシング部材２８が、さらなるコイルケーシング部材３０上へ押し動かされ、コイルケーシングユニット２４の第１のコイルケーシング部材２８と、さらなるコイルケーシング部材３０とが完全に重なり合うまで軸方向４６において押し込まれる。この際に、第１のコイルケーシング部材２８は、さらなるコイルケーシング部材３０を、円周方向４２において完全に包囲する。図示の実施形態では、コイルケーシングユニット２４のコイルケーシング部材２８、３０は、それぞれ、少なくとも１つの固定タブ５６、５８を有している。コイルケーシングユニット２４のコイルケーシング部材２８、３０は、それぞれ、全体で４つの固定タブ５６、５８を有している。これらの固定タブ５６、５８はそれぞれ、均等に、コイルケーシングユニット２４のコイルケーシング部材２８、３０の円周に、分配して配置されている。さらなるコイルケーシング部材３０の固定タブ５８は、コイルケーシングユニット２４の結合された状態において、それぞれ、第１のコイルケーシング部材２８の固定タブ５６にはまり込む。固定タブ５６、５８はそれぞれ固定用空所を有しており、これを通って、取り付けられた状態において、ネジが噛み合う。このネジによって、コイルケーシングユニット２４は、誘導充電装置１０のケーシング３４とネジ留めされる。従って、コイルケーシングユニット２４は、取り付けられた状態において、誘導充電装置１０のケーシング３４とネジ留めされている。コイルケーシングユニット２４が、誘導充電装置１０のケーシング３４とネジ留めされていることによって、さらに、第１のコイルケーシング部材２８と、さらなるコイルケーシング部材３０とが相互に固定され、相対的に動かなくされ、誘導充電ユニット１１の位置は、誘導充電装置の受入れ領域２２に対して固定される。さらに下方で、図９に関連して説明されるように、コイルケーシングユニット２４とケーシング３４とのネジ留めに対しては、ネジボスの形状の保持部材５９が設けられている。
【００５４】
固定タブ５６、５８とネジボス５９は、少なくとも１つのコイルケーシング部材２８、３０を、ケーシング３４と、取り外し可能に固定して、受入れ領域２２に対して相対的に配置するように形成されている保持部材の１つの実施形態を成している。誘導充電ユニット１１をケーシング３４と取り外し可能に固定する、および、誘導充電ユニット１１を受入れ領域２２に対して相対的に配置する保持部材に対する択一的な実施形態が可能である。例えば保持部材は係止部材の形態で、または、形状結合および／または摩擦結合のための他の接続部材の形態で実現可能である。
【００５５】
コイルケーシングユニット２４のコイルケーシング部材３０は、さらに、２つのコイル接続貫通部６０を有している。これらは、誘導コイル１８のコイル接続部２６を、コイルケーシングユニット２４の内側から、取り付けられた状態において、外側へ導くように設けられている（図２ａ）。コイル接続貫通部６０は、さらなるコイルケーシング部材３０内の空所によって形成されている。コイル接続貫通部６０は、相互に間隔を空けて配置されている。第１のコイルケーシング部材２８は、コイル接続部保持部材６２を有している。これは、誘導コイル１８のコイル接続部２６を、コイルケーシングユニット２４の内側から、取り付け状態において固定し、保持するように設けられている（図２ｂ）。コイル接続部保持部材６２は、誘導コイル１８のコイル接続部２６を、コイルケーシングユニット２４の外側で固定する。コイル接続部保持部材６２は、誘導コイル１８のコイル接続部２６を、相互に間隔を空けて固定する。これによって、高い、特に１５００ボルトまでの電気絶縁が実現される。
【００５６】
図７は、個々の部材の、組み立て前の誘導充電装置１０の斜視図を示している。ケーシング３４は、誘導充電装置１０の外側ケーシングを形成する。ケーシング３４は、図７に示された構成では、２つのケーシング部材７２、７４から形成されている。ケーシング部材７４は、上方のケーシング部材を形成する。誘導充電装置１０のこの上方のケーシング部材７４は、受入れ領域２２を有している。この受入れ領域は、結合された状態において、誘導蓄電池１４を受け入れるように設けられている（図１）。誘導充電装置１０の上方のケーシング部材７４の受入れ領域２２は、少なくとも１つの凹部を有している。この凹部は、誘導蓄電池１４の位置決めのための位置決め部材４０を形成する。ケーシング部材７２は、下方のケーシング部材を形成する。下方のケーシング部材７２と上方のケーシング部材７４とは、誘導充電ユニット１１とエレクトロニクスユニット７８とを受け入れる、誘導充電装置１０の内側領域７６を包囲している。エレクトロニクスユニット７８は、充電過程を開ループ制御するまたは閉ループ制御するように設けられている。エレクトロニクスユニット７８は、少なくとも１つの、電子部品が装着される導体プレート７９を含んでいる。
【００５７】
図８は、組み立て前の誘導充電装置１０の、個々の構成部材を通る長手方向断面図を示している。上方のケーシング部材７４は、誘導充電ユニット１１を受け入れるための収容領域７５を有している。この収容領域７５は、誘導充電装置１０の内側領域７６の部分領域を形成する。収容領域７５は、内側へ、内側領域７６の方を向いている、ケーシング部材７４の上方のケーシング壁部７３の内側面に設けられている。収容領域７５は、受入れ領域２２に対向する領域において、ケーシング壁部７３の内側面に位置している。受入れ領域２２は、ケーシング壁部７３の外側面に設けられており、収容領域７５はケーシング壁部７３の内側面に設けられている。ここで受入れ領域２２と収容領域７５とは、ケーシング壁部７３に関して、相互に対向して配置されている。収容領域７５は、誘導充電ユニット１１を、受入れ領域２２に対して相対的に位置決めするように形成されている。このための、ケーシング壁部７３の内側面で、ケーシング壁部７３から突出している、内側領域７６内に突き出た壁部部材７７が設けられている。これらの壁部部材７７は、ケーシング壁部７３の内側面に形成されている。図９に示されているように、壁部部材７７は、収容領域７５を自身の円周方向において、実質的に完全に区切る。ここでこれらの壁部部材７７は、誘導充電ユニット１１の外観を、円周方向において、実質的に相補的に模している。図９に示された実施形態では、壁部部材７７は、実質的に閉じられた周壁８１を形成する。ここでこの周壁は、コイルケーシングユニット２４を実質的に相補的に模している。誘導充電ユニット１１がケーシング部材７４に取り付けられた状態では、壁部部材７７は、コイルケーシングユニット２４を、円周方向４２において実質的に完全に包囲する。択一的な、図示されていない形態では、収容領域７５を円周方向において不完全に区切る壁部部材を設けることが可能であろう。これは例えば、壁部部材が中断されているように実現される。付加的に、図９の実施形態では、位置決め部材８３が設けられている。この位置決め部材は、誘導充電ユニット１１がケーシング部材７４に取り付けられた状態において、コイルケーシングユニット２４の係止用空所５０にはまり込む。位置決め部材８３は、ケーシング壁部７３の内側面に、ケーシング壁部７３の内側面で、ケーシング壁部７３から突出して、内側領域７６に突き出るように形成されている。位置決め部材８３は、誘導充電ユニット１１を、ケーシング部材７４に対して相対的に位置決めするように形成されている。
【００５８】
誘導充電ユニット１１を、誘導充電装置１０のケーシング３４と取り外し可能に固定するために、ひいては、誘導充電ユニット１１を受入れ領域２２に対して相対的に位置固定して位置決めするために、ケーシング部材７４に保持部材５９が設けられている。この保持部材５９は、コイルケーシング部材２８、３０に設けられている保持部材５６、５８と協働する。図９に示された実施形態では、保持部材５９は、ネジボスとして形成されている。
【００５９】
図１０は、図９に示されたケーシング部材７４を示している。ここでは、遮蔽部材９０が配置されている。遮蔽部材９０の機能に対して、次のことが重要である。すなわち、遮蔽部材９０が誘導充電装置１０内で、コイルユニット１２と受入れ領域２２との間に、特に、誘導コイル１８と受入れ領域２２との間に配置されていることが重要である。ここで、遮蔽部材９０の１つの面は受入れ領域２２の方を向いており、遮蔽部材９０の他の、対向する面は、誘導コイル１８の方を向いている。従って、誘導充電装置１０による誘導蓄電池１４の充電過程の間、遮蔽部材９０は、誘導コイル１８と誘導蓄電池１４との間、若しくは、誘導コイル１８と誘導蓄電池１４の誘導コイルとの間に配置されている。遮蔽部材９０の機能に対しては、誘導コイル１８と遮蔽部材９０との間の間隔ができるだけ短いのは有利である。
【００６０】
受入れ領域２２と誘導コイル１８との間に、遮蔽部材９０を配置することは、図１０に示された実施形態では、図１３を一緒に見て、次のように行われる。すなわち、遮蔽部材９０が、ケーシング部材７４と誘導充電ユニット１１との間に配置されているように行われる。ここでこの遮蔽部材９０は、誘導充電ユニット１１の外側に配置されている。遮蔽部材９０は、コイルケーシングユニット２４とケーシング部材７４との間に配置されている。遮蔽部材９０は、コイルケーシングユニット２４のコイルケーシング部材３０と、ケーシング部材７４との間に配置されている。遮蔽部材９０は、ケーシング壁部７３の内側面と、ケーシング壁部７３の方を向いている、コイルケーシング部材３０の外側面との間に配置されている。従って、遮蔽部材９０と誘導コイル１８との間の間隔は、実質的に、コイルケーシング部材３０のケーシング壁部の厚さに相当する。ここでこれは、誘導コイル１８と遮蔽部材９０との間に位置している。択一的な、図示されていない実施形態では、遮蔽部材９０が誘導充電ユニット１１の部材も形成することが可能である。これは、遮蔽部材９０が誘導充電ユニット１１内に配置されていることによって行われる。ここで、この遮蔽部材９０は、コイルケーシングユニット２４内に配置可能である。これはここで特に、誘導コイル１８を受け入れるコイルケーシング部材３０内に配置され得る。
【００６１】
遮蔽部材９０は、ケーシング部材７４の収容領域７５に配置されている。ここでこの遮蔽部材９０は、位置決め部材８３によって、収容領域７５に対して相対的に位置決めされている。このために、遮蔽部材９０は、開口部９２を有している。この開口部は、ケーシング部材７４の位置決め部材８３を受け入れる。開口部９２と位置決め部材８３とによって、遮蔽部材９０は、ケーシング部材７４に対して相対的に、若しくは、収容領域７５に対して相対的に位置決めされる。誘導充電ユニット１１がケーシング部材７４内に組み込まれた状態において、遮蔽部材９０は、ケーシング部材７４と、誘導充電ユニット１１のコイルケーシングユニット２４との間に挟まれている。
【００６２】
遮蔽部材９０の機能に対しては有利には、遮蔽部材９０ができるだけ大きく拡がる面積を、誘導コイル１８によって包囲されている面に関して有している。遮蔽部材９０は、少なくとも実質的に、誘導コイル１８によって形成される面の拡張に相応する、面の拡張を有している。ここでこの面は、このために、遮蔽部材９０は、底面部材９４を有している。この底面部材の面は、実質的に、誘導コイル１８によって形成される面に相当する。底面部材９４は特に全面に形成されている。遮蔽部材９０を、受入れ領域２２と誘導コイル１８との間、若しくは、受入れ領域２２と誘導充電装置１０内のコイルユニット１２との間に配置した場合、遮蔽部材９０は、誘導コイル１８を実質的に完全に覆う。択一的に、遮蔽部材９０の面が、誘導コイル１８によって包囲されている面より大きくてもよい。この際に、底面部材９４の面は、誘導コイル１８によって形成される面より大きくてよい。
【００６３】
遮蔽部材９０の機能に対してはさらに、遮蔽部材９０が、受入れ領域２２の方を向いている、誘導コイル１８の面だけでなく、誘導コイル１８の外側周辺面も包囲しているのは有利である。このために、遮蔽部材９０は、多数の壁部部材９６を有している。これらの壁部部材は、底面部材９４に配置されている。図１０および１３から見て取れるように、ケーシング部材７４内へ遮蔽部材９０が組み込まれた状態において、壁部部材９６は、誘導充電ユニット１１の側方に配置されており、遮蔽部材９０は、誘導コイル１８若しくはコイルユニット１２を、側方で、実質的に完全に包囲している。壁部部材９６は、この組み込み状態において、実質的に閉じられている周壁を形成する。この周壁は、誘導コイル１８若しくはコイルユニット２０を自身の外周で、実質的に完全に包囲する。上述のように、図示の実施形態では、遮蔽部材９０は、コイルケーシングユニット２４外に配置されている。従って、組み込み状態では、遮蔽部材９０は、少なくともコイルケーシング部材３０の側方の周壁も、少なくとも部分的に包囲する。
【００６４】
図１１ａおよび１１ｂでは、遮蔽部材９０がより詳細に示されている。図１１ａに示された平面図では、実質的にディスク状の底面部材９４が見て取れる。これは、ほぼ中央に、ケーシング部材７４の位置決め部材８３を受け入れる開口部９２を有している。さらに、底面部材９４から放射状に外部へと突出している壁部部材９６が見て取れる。これらの壁部部材９６は、底面部材９４と一体に形成されている。壁部部材９６は、フラッグ状に、底面部材９４から放射状に外側へ向かって突出している。上述のように、壁部部材９６は誘導充電装置１０内への組み込み状態において、底面部材９４から側方に突出する周壁を形成する。これらの壁部部材９６は、ここで、底面部材９４に対して傾斜して配置されている。これらは、組み込み状態において、例えば、実質的に、底面部材９４に対して垂直に配向され得る。多数の壁部部材９６の代わりに、１つの壁部部材を設けることもできる。これは、実質的に閉じられている、遮蔽部材９０の側方周壁を形成する（図示されていない）。遮蔽部材９０は、実質的に丸い底面形状を有している。ここで、遮蔽部材９０のこの底面形状は、誘導コイル１８の底面形状に合わせられている。誘導コイルの底面形状が環状ではなく、例えば楕円形、長方形または正方形である、（図示されていない）実施形態では、遮蔽部材は有利には、これに相応した、円形でなく、例えば楕円形、長方形または正方形の底面形状を有している。
【００６５】
さらに、遮蔽部材９０は、電気的なコンタクト部材９８を含んでいる。ここでこのコンタクト部材は、遮蔽部材９０に対する電気的な接続を形成するように形成されている。コンタクト部材９８は、底面部材９４に配置されている。これは、底面部材９４から、フラッグ状に外側へ向かって突出している。
【００６６】
図１１ｂから、遮蔽部材９０が、薄い遮蔽フィルムとして形成されていることが見てとれる。これは特に、多層に構築されている。図示の実施形態では、遮蔽部材９０は、３つの層を含んでいる。第１の層と第３の層は、それぞれ、絶縁フィルムの形態の絶縁部材９９によって形成されている。第１の層と第３の層との間に配置されている第２の層は、導電性部材９７によって形成されている。絶縁部材９９は、非導電性材料から形成されている。これらは、例えば、プラスチックとして構成されている。プラスチックは例えば、ポリエステルであってよい。絶縁フィルム９９の厚さは、例えば、０．１ｍｍよりも薄い。絶縁フィルム９９は、誘導コイル１８と導電性部材９７との間の電気的な絶縁破壊を阻止するように形成されている。絶縁部材９９の絶縁破壊耐性は、例えば、２ｋＶを超える。導電性部材９７は、導電性材料から形成されている。金属的な、特に強磁性の材料が、導電性部材９７用の導電性材料としては、むしろ適していないことが判明している。非金属材料、例えば、炭素が導電性部材９７に対して有利である。導電性部材９７は、例えば、炭素繊維の面状の構築物として構成可能である。ここでこの面状の構築物は、繊維束、編んだ生地、織物、編まれた繊維、網状のもの、ネット、フェルト、フリース等によって形成されている。
【００６７】
２つの絶縁部材９９と導電性部材９７とを相互に相対的に位置決めする目的で、各部材９７、９９に、位置決め用の穴の形態の少なくとも３つの位置決め部材９１が設けられている。遮蔽部材９０の組み立て時に、これらの位置決め部材９１は、個々の層を相互に正確に配向するための取り付け補助部として用いられる。絶縁部材９９と導電性部材９７とを重ねて配置する時には、部材９７、９９のうちの１つの部材の各位置決め部材９１が、それぞれ、隣接する部材９７、９９の少なくとも１つの位置決め部材９１と一直線に並んで配置されている。
【００６８】
遮蔽部材９０を包囲している縁部領域１０５では、絶縁部材９９には、導電性部材９７に対して、張り出し部が設けられている。この縁部領域１０５では、２つの絶縁部材９９は直接的に接しており、ここでは、導電性部材９７はこれらの絶縁部材９９の間に位置していない。縁部領域１０５では、絶縁部材９９は、特に、材料結合で、例えば、接着または溶接によって、特に直接的に相互に接続されている。従って縁部領域１０５には、導電性部材９７は設けられていない。縁部領域１０５は特に、完全に導電性材料を含んでいない。縁部領域１０５は、電気的な絶縁破壊耐性を保証するように形成されている。縁部領域は、例えば、少なくとも０．５ｍｍにわたって、遮蔽部材９０の外側縁部から出発して、延在している。
【００６９】
遮蔽部材９０の電気的な接続のために形成されている、底面部材９４からフラッグ状に突出している電気的なコンタクト部材９８は、同様に、３つの層から構築されている。２つの絶縁部材９９の底面部材から、それぞれ１つの絶縁フラッグ１０１が突出している。導電性部材９７の底面部材から、コンタクトフラッグ１０３が突出している。ここでこのコンタクトフラッグ１０３は、２つの絶縁フラッグ１０１の間に位置している。絶縁フラッグ１０１は、絶縁部材９９の底面部材と一体に形成されている。コンタクトフラッグ１０３に対しては、有利には金属材料、例えば銅フィルムが使用される。ここで、銅フィルムから成るコンタクトフラッグ１０３は、導電性部材９７の、導電性材料から成る面状の構築物と導電性に接続されている。
【００７０】
図１２は、図９に示されたケーシング部材７４を示している。ここでは、誘導充電ユニット１１と遮蔽部材１１０とが配置されている。遮蔽部材１１０の機能に対して、次のことが重要である。すなわち、遮蔽部材１１０が誘導充電装置１０において、コイルユニット１２とケーシング部材７２との間、特に、誘導コイル１８とケーシング部材７２との間に配置されていることが重要である。ここで、遮蔽部材１１０の１つの面はケーシング部材７２の方を向いており、遮蔽部材１１０の他方の、対向する面は、誘導コイル１８の方を向いている。従って、誘導充電装置１０による誘導蓄電池１４の充電過程の間、遮蔽部材１１０は、誘導コイル１８とケーシング部材７２との間に配置されている。この充電過程の間、ケーシング部材７２は、誘導充電装置１０の下方のケーシング部材を形成する。これは、例えば卓上の、誘導充電装置１０の台を形成する。
【００７１】
ケーシング部材７２と誘導コイル１８との間に、遮蔽部材１１０を配置することは、図１２に示された実施形態では、図１３を一緒に見て、次のように行われる。すなわち、遮蔽部材１１０が、ケーシング部材７２と誘導充電ユニット１１との間に配置されているように行われる。ここでこの遮蔽部材１１０は、誘導充電ユニット１１の外側に配置されている。遮蔽部材１１０は、コイルケーシングユニット２４とケーシング部材７２との間に配置されている。遮蔽部材１１０は、コイルケーシング部材２８と、ケーシング部材７４との間に配置されている。遮蔽部材１１０は、ケーシング壁部７１の内側面と、ケーシング壁部７１の方を向いている、コイルケーシング部材２８の外側面との間に配置されている。択一的な、図示されていない実施形態では、遮蔽部材１１０が誘導充電ユニット１１の部材も形成することが可能である。これは、遮蔽部材１１０が誘導充電ユニット１１内に配置されていることによって行われる。ここで、この遮蔽部材１１０は、コイルケーシングユニット２４に配置可能である。これはここで特に、ケーシング部材７２の方を向いているコイルケーシング部材２８内に配置可能である。ここでこの遮蔽部材１１０は特に、コイルケーシング部材２８とコアユニット１７若しくはコア部材１６との間に配置可能である。
【００７２】
図示された実施形態では、遮蔽部材１１０は、誘導充電装置１０内に、ネジの形態である固定部材５７を用いて、取り外し可能に固定されている。この固定部材５７は、ケーシング部材７４の保持部材５９と協働する。これによって、遮蔽部材１１０は、取り外し可能に、ケーシング部材７４に固定されている。図１２から見て取れるように、固定部材５７のうちの１つは、付加的な機能を担う。すなわち、遮蔽部材１１０と、電気ケーブルの形態の電気線路１１５との間の導電性接続を形成する機能を担う。この電気線路１１５を介して、遮蔽部材１１０はアース接続されている。さらに、図１２から見て取れるように、この固定部材５７は、付加的に、遮蔽部材９０のコンタクト部材９８と、電気線路１１５との間の導電性接続を形成する機能を担う。従って、電気線路１１５を介して、遮蔽部材９０も、アース接続されている。
【００７３】
遮蔽部材１１０は、導電性材料から形成されている。有利にはこれは、金属材料、例えばアルミニウムから形成されている。遮蔽部材１１０は、誘導充電装置１０用の台、例えば卓上にある金属対象物から誘導コイル１８を遮蔽するように形成されている。金属材料から成る台または台上の金属粒子は、誘導コイル１８の機能に不所望に影響を与える。
【００７４】
図１２に示された実施形態では、遮蔽部材１１０は実質的に、環状に形成されている。択一的な、図示されていない実施形態では、遮蔽部材がディスク状に形成されていてもよい。遮蔽部材はここで、特に、実質的に、全面に形成可能である。充分な機械的安定性を得るために、遮蔽部材１１０は、例えば、約１ｍｍの厚さを有する。しかし、遮蔽部材１１０が格段に薄くてもよい。遮蔽部材１１０の遮蔽機能は、例えば、遮蔽フィルムによっても得られる。遮蔽フィルムは、例えば、コイルケーシング部材２８上に貼り付けられる。
【００７５】
遮蔽部材１１０の機能に対しては、遮蔽部材１１０ができるだけ大きく拡がる面積を、誘導コイル１８によって包囲されている面に関して有しているのは有利である。遮蔽部材１１０は、少なくとも実質的に、誘導コイル１８によって形成される面積に相当する、面積の拡張を有している。実質的に環状の遮蔽部材１１０は、少なくとも、誘導コイル１８の外径と同じ大きさの外径を有している。誘導コイル１８が環状に形成されているのではなく、例えば楕円形、長方形または正方形に形成されている択一的な実施形態では、遮蔽部材１１０の幾何学的な底面形状は、有利には、誘導コイル１８の底面形状に合わせられている。ここで、軸方向４６に沿った遮蔽部材１１０の投影時に形成される遮蔽部材１１０の投影面は、少なくとも、軸方向４６に沿った誘導コイル１８の投影時に形成される、誘導コイル１８の投影面と同じ大きさである。
【図１】
2017503461.tif 000003
【図２ａ】
2017503461.tif 000004
【図２ｂ】
2017503461.tif 000005
【図３】
2017503461.tif 000006
【図４】
2017503461.tif 000007
【図５】
2017503461.tif 000008
【図６】
2017503461.tif 000009
【図７】
2017503461.tif 000010
【図８】
2017503461.tif 000011
【図９】
2017503461.tif 000012
【図１０】
2017503461.tif 000013
【図１１ａ】
2017503461.tif 000014
【図１１ｂ】
2017503461.tif 000015
【図１２】
2017503461.tif 000016
【図１３】
2017503461.tif 000017
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
誘導充電装置であって、
ケーシング（３４）と、
誘導蓄電池（１４）を受け入れる受入れ領域（２２）と、
少なくとも１つのコア部材（１６）と、少なくとも１つの誘導コイル（１８）とを含み、当該少なくとも１つの誘導コイル（１８）は、前記少なくとも１つのコア部材（１６）を少なくとも部分的に包囲している、コイルユニット（１２）と、
前記ケーシング（３４）内において、少なくとも前記コイルユニット（１２）を前記受入れ領域（２２）に対して相対的に配置する、少なくとも１つのコイルケーシング部材（３０）と、
を備えることを特徴とする誘導充電装置。
【請求項２】
前記コイルケーシング部材（３０）は、前記少なくとも１つの誘導コイル（１８）を受け入れる少なくとも１つの凹部（３１）を有している、請求項１記載の誘導充電装置。
【請求項３】
前記コイルケーシング部材（３０）は、前記少なくとも１つのコア部材（１６）を受け入れる少なくとも１つの収容領域（３３）を有している、請求項１または２記載の誘導充電装置。
【請求項４】
前記コイルケーシング部材（３０）は、前記ケーシング（３４）に取り外し可能に固定する少なくとも１つの保持部材（５８）を有している、請求項１から３までのいずれか１項記載の誘導充電装置。
【請求項５】
前記コイルケーシング部材（３０）とともにコイルケーシングユニット（２４）を形成する別のコイルケーシング部材（２８）を有している、請求項１から４までのいずれか１項記載の誘導充電装置。
【請求項６】
前記コイルケーシングユニット（２４）は、少なくとも１つの接続部材（３２，５０）を含んでおり、当該接続部材は、取り付けられた状態において、前記２つのコイルケーシング部材（２８，３０）を取り外し可能に相互に接続する、請求項５記載の誘導充電装置。
【請求項７】
前記接続部材は、係止部材（３２，５０）として形成されている、請求項６記載の誘導充電装置。
【請求項８】
少なくとも１つのバネ部材（２０）を有しており、当該バネ部材は少なくとも部分的に、前記少なくとも１つのコア部材（１６）を、少なくとも部分的に、前記少なくとも１つの誘導コイル（１８）の方向へ付勢するように設けられている、請求項５から７までのいずれか１項記載の誘導充電装置。
【請求項９】
前記少なくとも１つのバネ部材（２０）は、前記受入れ領域（２２）の方向において、前記少なくとも１つのコア部材（１６）に作用する力を生じさせる、請求項８記載の誘導充電装置。
【請求項１０】
前記少なくとも１つのバネ部材（２０）と、前記複数のコイルケーシング部材（２８，３０）のうちの少なくとも１つのコイルケーシング部材とが協働することによって、前記少なくとも１つのコア部材（１６）は、前記少なくとも１つの誘導コイル（１８）の方向へ予め付勢されている、請求項８または９記載の誘導充電装置。
【請求項１１】
前記複数のコイルケーシング部材（２８，３０）のうちの少なくとも１つのコイルケーシング部材は、前記少なくとも１つのバネ部材（２０）を有している、請求項８から１０までのいずれか１項記載の誘導充電装置。
【請求項１２】
前記少なくとも１つのバネ部材（２０）は、前記複数のコイルケーシング部材（２８，３０）のうちの少なくとも１つのコイルケーシング部材と固く接続されている、請求項８から１１までのいずれか１項記載の誘導充電装置。
【請求項１３】
前記少なくとも１つのバネ部材（２０）は、前記複数のコイルケーシング部材（２８，３０）のうちの少なくとも１つのコイルケーシング部材と一体に形成されている、請求項８から１２までのいずれか１項記載の誘導充電装置。
【請求項１４】
前記コイルユニット（１２）は、複数のコア部材（１６）を有しており、
複数のバネ部材（２０）が、前記複数のコア部材（１６）の各々を、少なくとも部分的に、前記少なくとも１つの誘導コイル（１８）の方向へ付勢するように設けられている、請求項１から１３までのいずれか１項記載の誘導充電装置。
【請求項１５】
前記複数のコア部材（１６）は同じ形状であり、前記複数のバネ部材（２０）は同じ形状である、請求項１４記載の誘導充電装置。
【請求項１６】
前記少なくとも１つの誘導コイル（１８）は、相互に間隔を空けて配置されている少なくとも２つのコイル接続部（２６）を含んでいる、請求項１から１５までのいずれか１項記載の誘導充電装置。
【請求項１７】
電磁的なノイズを低減させるように形成されている遮蔽部材（９０）が設けられている、請求項１から１６までのいずれか１項記載の誘導充電装置。
【請求項１８】
前記遮蔽部材（９０）は、前記受入れ領域（２２）と、前記誘導コイル（１８）との間に配置されている、請求項１７記載の誘導充電装置。
【請求項１９】
前記遮蔽部材（９０）は、前記受入れ領域（２２）と、前記コイルケーシング部材（３０）との間に配置されている、請求項１７記載の誘導充電装置。
【請求項２０】
電磁的なノイズを低減させるように形成されている、さらなる遮蔽部材（１１０）が設けられている、請求項１から１９までのいずれか１項記載の誘導充電装置。
【請求項２１】
前記遮蔽部材（１１０）は、前記ケーシング部材（７２）と前記誘導コイル（１８）との間に配置されている、請求項２０記載の誘導充電装置。
【請求項２２】
前記遮蔽部材（１１０）は、前記ケーシング部材（７２）と前記コイルケーシング部材（２８）との間に配置されている、請求項２０記載の誘導充電装置。
【請求項２３】
前記誘導充電装置は、手持式工具用の誘導充電装置である、請求項１から２２までのいずれか１項記載の誘導充電装置。
【請求項２４】
請求項１から２３までのいずれか１項記載の誘導充電装置（１０）と、少なくとも１つの誘導蓄電池（１４）とを備えている、
ことを特徴とするシステム。
【請求項２５】
前記誘導蓄電池（１４）は、手持式工具用の誘導蓄電池である、請求項２４記載のシステム。
【国際調査報告】
2017503461.tif 000018
2017503461.tif 000019
2017503461.tif 000020
2017503461.tif 000021
2017503461.tif 000022
2017503461.tif 000023